(57)【要約】      （修正有）【課題】表示装置に表示されたコンテンツに関連する情報を顧客が携帯サイトから速やかに取得することができるサーバ装置及びコンテンツ配信システムを提供する。【解決手段】ＥＣサーバ装置１００が、表示装置１３０における広告データの放映スケジュールと広告データに対応する商品情報を記憶しておき、ユーザの携帯端末１４０からのアクセスがあると、放映スケジュール及びアクセス日時に基づいて、ユーザが表示装置１３０で観た広告データを推測し、推測した広告データに対応する商品情報を携帯サイトに表示させる。ユーザは、携帯サイトにアクセスした後、所望の商品情報を取得するためにページ遷移を行う必要がなく、速やかに所望の商品情報を取得できる。【選択図】図１
2010277580.tif 000002
【特許請求の範囲】
【請求項１】
表示装置に表示される広告データ及び前記広告データに対応する商品情報を受信するデータ受信部と、
前記広告データが前記表示装置に表示されるスケジュールが規定されたスケジュール情報を受信するスケジュール受信部と、
前記広告データ、前記商品情報、及び前記スケジュール情報を記憶する記憶部と、
前記スケジュール情報を参照して、携帯端末からのアクセス日時又は当該アクセス日時より所定時間前に前記表示装置に表示されている広告データを特定し、当該広告データに対応する商品情報をウェブサイトに表示させる表示データ作成部と、
を備えるＥＣサーバ装置。
【請求項２】
前記スケジュール受信部は、複数拠点に設けられた表示装置の各々に対応したスケジュール情報を受信し、
前記表示データ作成部は、前記携帯端末からのアクセスに基づいて、前記携帯端末が前記複数拠点のいずれで前記ウェブサイトの位置情報を取得したかを検出し、検出した拠点に対応するスケジュール情報を参照することを特徴とする請求項１に記載のＥＣサーバ装置。
【請求項３】
前記携帯端末において前記ウェブサイトを閲覧したユーザから商品の購入又は予約の注文を受け付けて、売上管理データを作成する販売管理部をさらに備え、
前記記憶部は前記売上管理データを記憶することを特徴とする請求項１又は２に記載のＥＣサーバ装置。
【請求項４】
前記携帯端末から端末ＩＤを取得して携帯端末を識別する端末識別部をさらに備え、
前記表示データ作成部は、前記端末ＩＤに応じて、ユーザ固有のウェブページを表示させることを特徴とする請求項１乃至３のいずれかに記載のＥＣサーバ装置。
【請求項５】
表示装置と、
前記表示装置に表示される広告データ及び前記広告データに対応する商品情報を広告提供端末から受信し、前記商品情報をウェブサイトに表示させるＥＣサーバ装置と、
管理端末から受信した前記表示装置に表示される前記広告データのスケジュールが規定されたスケジュール情報と、前記ＥＣサーバ装置から受け取った前記広告データと、を前記表示装置に送信するコンテンツ配信サーバ装置と、
を備えるコンテンツ配信システムであって、
前記ＥＣサーバ装置は、前記コンテンツ配信サーバ装置から前記スケジュール情報を取得し、携帯端末から前記ウェブサイトへのアクセスに伴い、前記スケジュール情報を参照して、アクセス日時又は当該アクセス日時より所定時間前に前記表示装置に表示されている広告データを特定し、当該広告データに対応する商品情報を前記ウェブサイトに表示させることを特徴とするコンテンツ配信システム。
【請求項６】
それぞれ異なる拠点に設けられた複数の前記表示装置を備え、
前記スケジュール情報は各表示装置に対応しており、前記ＥＣサーバ装置は、前記携帯端末からのアクセスに基づいて、前記携帯端末が前記複数拠点のいずれで前記ウェブサイトの位置情報を取得したかを検出し、検出した拠点に対応するスケジュール情報を参照することを特徴とする請求項５に記載のコンテンツ配信システム。
【請求項７】
各拠点の識別情報を含む前記位置情報を前記携帯端末へ送信する送信部をさらに備え、
前記ＥＣサーバ装置は、前記識別情報に基づいて前記携帯端末が前記複数拠点のいずれで前記位置情報を取得したかを検出することを特徴とする請求項６に記載のコンテンツ配信システム。
【請求項８】
前記ＥＣサーバ装置は、前記携帯端末において前記ウェブサイトを閲覧したユーザから商品の購入又は予約の注文を受け付け、所定の処理を施した画像と当該注文の内容を記載したＥメールを前記携帯端末へ送信することを特徴とする請求項５に記載のコンテンツ配信システム。
【請求項９】
少なくともいずれか１つの拠点に設けられ、当該拠点の前記表示装置に表示させる第２の広告データを作成する登録端末から前記第２の広告データを取得し、当該表示装置へ送信する第２のコンテンツ配信サーバ装置をさらに備え、
前記表示装置は、前記スケジュール情報に基づいて前記第２の広告データを表示することを特徴とする請求項６乃至８のいずれかに記載のコンテンツ配信システム。
【請求項１０】
前記ＥＣサーバ装置は、各拠点の前記表示装置に表示させる拠点別広告データを作成して公開／非公開を設定できる各拠点に対応した複数の登録端末から前記拠点別広告データを取得し、前記広告データ及び前記拠点別広告データを前記コンテンツ配信サーバ装置へ送信し、
前記コンテンツ配信サーバ装置は、前記登録端末によって、前記広告データ及び公開設定されたすべての拠点別広告データから選択された広告データを当該登録端末と同じ拠点の前記表示装置へ送信し、前記広告データ及び当該登録端末により作成され非公開設定された拠点別広告データから選択された広告データを当該登録端末と同じ拠点の前記表示装置へ送信し、各拠点の登録端末が選択した広告データを前記ＥＣサーバ装置へ通知することを特徴とする請求項６乃至９のいずれかに記載のコンテンツ配信システム。
【請求項１１】
前記ＥＣサーバ装置は、
前記携帯端末において前記ウェブサイトを閲覧したユーザから商品の購入又は予約の注文を受け付けることができ、
前記第１の商品カタログを選択した登録端末に対応する第１の拠点から前記位置情報を取得して前記ウェブサイトを閲覧したユーザから、第２の拠点の登録端末によって作成され公開設定された拠点別広告データに対応する商品の購入又は予約の注文を受け付けた場合、当該商品の売上額に基づいて前記第１の拠点及び前記第２の拠点の各々に支払われるロイヤリティを算出することを特徴とする請求項１０に記載のコンテンツ配信システム。
【請求項１２】
複数の広告データの各々に対応するウェブサイトの位置情報と、各広告データを識別するコンテンツＩＤとを対応付けて記憶する記憶部と、
前記複数の広告データの少なくともいずれか１つを表示する表示装置から、表示中の広告データに対応する前記コンテンツＩＤを受信する受信部と、
携帯端末からのアクセスに伴い、前記受信部が受信した前記コンテンツＩＤに対応する前記位置情報を前記記憶領域から取り出し、前記携帯端末のアクセス先を当該位置情報に誘導する送信部と、
を備えるゲートウェイサーバ装置。
【請求項１３】
複数の広告データの各々に対応するウェブサイトを作成し、前記複数の広告データ及び前記ウェブサイトの位置情報を出力するＥＣサーバ装置と
前記複数の広告データのいずれか１つを表示し、表示中の広告データに対応するウェブサイトの位置情報を出力する表示装置と、
前記表示装置から出力された前記位置情報を携帯端末へ送信する送信装置と、
を備えるコンテンツ配信システム。
【発明の詳細な説明】
【技術分野】
【０００１】
本発明は、サーバ装置、コンテンツ配信システム、及びゲートウェイサーバ装置に関するものである。
【背景技術】
【０００２】
近年、電子広告等の情報を作成して配信し、表示装置に表示させるデジタルサイネージ等のブロードキャスト型の配信システムが増加している（例えば特許文献１参照）。情報提供者は所定のスケジュールに従って表示装置に情報を表示させる。
【０００３】
このような配信システムでは、例えば、広告を表示する表示装置と、携帯サイトのＵＲＬを送信するＩＣリーダライタ装置とがスーパーマーケットやコンビニエンスストア等の小売り店舗に設けられる。顧客は、携帯電話を用いて、ＩＣリーダライタ装置からＵＲＬを取得し、携帯サイトにアクセスして、広告に関連する商品の電子クーポン等を取得することができる。
【０００４】
一般に、表示装置には複数の商品についての広告が連続して表示される。一方、ＩＣリーダライタ装置が携帯電話に送信できるＵＲＬは１種類である。従って、顧客は、携帯サイトにアクセスした後、目的の商品の電子クーポン等を取得するまでページ遷移を複数回行う必要がある。
【０００５】
このように、上記のような従来の配信システムでは、顧客が、表示装置に表示されたコンテンツに関連する情報を携帯サイトから取得するのに手間がかかるという問題を有していた。
【先行技術文献】
【特許文献】
【０００６】
【特許文献１】特開２００５−３０１５８６号公報
【発明の概要】
【発明が解決しようとする課題】
【０００７】
本発明は、表示装置に表示されたコンテンツに関連する情報を顧客が携帯サイトから速やかに取得することができるサーバ装置及びコンテンツ配信システムを提供することを目的とする。
【課題を解決するための手段】
【０００８】
本発明の一態様によるサーバ装置は、表示装置に表示される広告データ及び前記広告データに対応する商品情報を受信するデータ受信部と、前記広告データが前記表示装置に表示されるスケジュールが規定されたスケジュール情報を受信するスケジュール受信部と、前記広告データ、前記商品情報、及び前記スケジュール情報を記憶する記憶部と、前記スケジュール情報を参照して、携帯端末からのアクセス日時又は当該アクセス日時より所定時間前に前記表示装置に表示されている広告データを特定し、当該広告データに対応する商品情報をウェブサイトに表示させる表示データ作成部と、を備えるものである。
【０００９】
本発明の一態様によるコンテンツ配信システムは、表示装置と、前記表示装置に表示される広告データ及び前記広告データに対応する商品情報を広告提供端末から受信し、前記商品情報をウェブサイトに表示させるＥＣサーバ装置と、管理端末から受信した前記表示装置に表示される前記広告データのスケジュールが規定されたスケジュール情報と、前記ＥＣサーバ装置から受け取った前記広告データと、を前記表示装置に送信するコンテンツ配信サーバ装置と、を備えるコンテンツ配信システムであって、前記ＥＣサーバ装置は、前記コンテンツ配信サーバ装置から前記スケジュール情報を取得し、携帯端末から前記ウェブサイトへのアクセスに伴い、前記スケジュール情報を参照して、アクセス日時又は当該アクセス日時より所定時間前に前記表示装置に表示されている広告データを特定し、当該広告データに対応する商品情報を前記ウェブサイトに表示させることを特徴とするものである。
【００１０】
本発明の一態様によるゲートウェイサーバ装置は、複数の広告データの各々に対応するウェブサイトの位置情報と、各広告データを識別するコンテンツＩＤとを対応付けて記憶する記憶部と、前記複数の広告データの少なくともいずれか１つを表示する表示装置から、表示中の広告データに対応する前記コンテンツＩＤを受信する受信部と、携帯端末からのアクセスに伴い、前記受信部が受信した前記コンテンツＩＤに対応する前記位置情報を前記記憶領域から取り出し、前記携帯端末のアクセス先を当該位置情報に誘導する送信部と、を備えるものである。
【００１１】
本発明の一態様によるコンテンツ配信システムは、複数の広告データの各々に対応するウェブサイトを作成し、前記複数の広告データ及び前記ウェブサイトの位置情報を出力するＥＣサーバ装置と前記複数の広告データのいずれか１つを表示し、表示中の広告データに対応するウェブサイトの位置情報を出力する表示装置と、前記表示装置から出力された前記位置情報を携帯端末へ送信する送信装置と、を備えるものである。
【発明の効果】
【００１２】
本発明によれば、表示装置に表示されたコンテンツに関連する情報を顧客が携帯サイトから速やかに取得することができる。
【図面の簡単な説明】
【００１３】
【図１】本発明の第１の実施形態に係るコンテンツ配信システムの概略構成図である。
【図２】同第１の実施形態に係るＥＣサーバ装置の概略構成図である。
【図３】変形例によるＥＣサーバ装置の概略構成図である。
【図４】変形例によるＥＣサーバ装置の概略構成図である。
【図５】同第１の実施形態に係るＥＣサーバ装置のユーザからのアクセスに伴う動作を説明するフローチャートである。
【図６】本発明の第２の実施形態に係るデータ処理システムの概略構成図である。
【図７】同第２の実施形態に係るＥＣサーバ装置の概略構成図である。
【図８】同第２の実施形態に係るデータ処理システムにおける店頭での商品販売からレシート出力までの流れを説明するフローチャートである。
【図９】同第２の実施形態に係るデータ処理システムにおいてユーザが携帯サイトから商品の予約注文を行う場合の処理を説明するフローチャートである。
【図１０】同第２の実施形態に係るデータ処理システムにおいて携帯サイトから予約注文された商品が引き渡される場合の処理を説明するフローチャートである。
【図１１】本発明の第３の実施形態に係るコンテンツ配信システムの概略構成図である。
【図１２】同第３の実施形態に係るコンテンツ配信システムを用いて店舗別に表示コンテンツを設定する方法を説明するフローチャートである。
【図１３】本発明の第４の実施形態に係るコンテンツ配信システムの概略構成図である。
【図１４】変形例によるＥＣサーバ装置の概略構成図である。
【図１５】本発明の第５の実施形態に係るコンテンツ配信システムの概略構成図である。
【図１６】同第５の実施形態に係るゲートウェイサーバ装置の概略構成図である。
【図１７】本発明の第６の実施形態に係るコンテンツ配信システムの概略構成図である。
【図１８】本発明の第７の実施形態に係るコンテンツ配信システムの概略構成図である。
【図１９】同第７の実施形態に係るＭＦＰ、表示装置、及びデータ転送装置の外観斜視図である。
【図２０】同第７の実施形態に係るデータ転送装置の概略構成図である。
【図２１】同第７の実施形態に係るＭＦＰの操作表示部に表示される画面の例を示す図である。
【発明を実施するための形態】
【００１４】
以下、本発明の実施の形態を図面に基づいて説明する。
【００１５】
（第１の実施形態）図１に本発明の第１の実施形態に係るコンテンツ配信システムの概略構成を示す。コンテンツ配信システムは、ＥＣサーバ装置１００、コンテンツ配信サーバ装置１２０、表示装置１３０、ＩＣリーダライタ装置１３１、二次元コード提示部１３２、携帯端末１４０、管理端末１５０、及び広告提供端末１６０を備える。
【００１６】
表示装置１３０、ＩＣリーダライタ装置１３１、及び二次元コード提示部１３２は店舗等に設けられる。図１では表示装置１３０、ＩＣリーダライタ装置１３１、及び二次元コード提示部１３２はそれぞれ１つしか示していないが、複数の店舗等（拠点）に設けられることもある。本実施形態では、表示装置１３０、ＩＣリーダライタ装置１３１、及び二次元コード提示部１３２が複数設けられる場合について説明を行う。
【００１７】
広告提供端末１６０は、表示装置１３０に表示させる広告データを作成し、ＥＣサーバ装置１００へ送信する。広告データは商品販売促進用の動画又は静止画であり、音声情報が付加され得る。また、広告提供端末１６０は、表示装置１３０に表示させることで広告を行う商品についての商品情報を作成し、ＥＣサーバ装置１００へ送信する。商品情報は例えばクーポンなどである。この商品情報は、ＥＣサーバ装置１００によって実現されるウェブサイト（携帯サイト）で表示可能な形式になっている。
【００１８】
図１では、広告提供端末１６０は１つしか示していないが、広告提供端末１６０は複数設けられ、ＥＣサーバ装置１００には複数の商品についての広告データ及び商品情報が送信される。
【００１９】
管理端末１５０は、何時にどのような情報を表示装置１３０に表示させるかを規定したスケジュール情報を作成し、当該スケジュール情報をコンテンツ配信サーバ装置１２０へ送信する。スケジュール情報は、表示装置１３０毎に作成される。
【００２０】
コンテンツ配信サーバ装置１２０は各表示装置１３０から固有の識別データを取得する。そして、コンテンツ配信サーバ装置１２０は、識別データに基づいて、スケジュール情報と、ＥＣサーバ装置１００から取得した広告データとを、対応する表示装置１３０へ送信する。
【００２１】
また、コンテンツ配信サーバ装置１２０は、各表示装置１３０のスケジュール情報をＥＣサーバ装置１００へ送信する。
【００２２】
表示装置１３０は、コンテンツ配信サーバ装置１２０から受信した広告データを、スケジュール情報に従って表示する。これにより、表示装置１３０は、複数の商品についての広告データを連続して表示することができる。表示装置１３０は、例えばプラズマディスプレイや液晶ディスプレイ等である。表示装置１３０を、商品棚付きラックに設け、放映される広告データに対応する商品を商品棚に陳列するようにしてもよい。
【００２３】
ＩＣリーダライタ装置１３１は、ＥＣサーバ装置１００によって実現されるサイト（携帯サイト）の位置情報（ＵＲＬ）が設定されており、このＵＲＬをユーザが有する携帯端末１４０へ送信する。携帯端末１４０は例えば携帯電話機である。
【００２４】
二次元コード提示部１３２は、前記ＵＲＬを表す二次元コードを提示する。二次元コード提示部１３２は例えば二次元コードが印字されたポスターである。ユーザは、携帯端末１４０の二次元コード読み取り機能を使用して、前記ＵＲＬを取得することができる。
【００２５】
なお、このＵＲＬには、どの店舗で取得されたかを示す店舗識別情報が付加されている。
【００２６】
図２に、ＥＣサーバ装置１００の概略構成を示す。ＥＣサーバ装置１００は、通信制御インタフェース２００、制御部２１０、及び記憶部２２０を有する。制御部２１０は、スケジュール受信部２１１、データ受信部２１２、及び表示データ作成部２１３を有する。記憶部２２０は、スケジュール情報記憶領域２２１、広告データ記憶領域２２２、及び商品情報記憶領域２２３を有する。
【００２７】
通信制御インタフェース２００は、広告提供端末１６０、コンテンツ配信サーバ装置１２０、携帯端末１４０などの他機器との通信の制御を行う。
【００２８】
スケジュール受信部２１１は、コンテンツ配信サーバ装置１２０からスケジュール情報を受信し、スケジュール情報記憶領域２２１に格納する。
【００２９】
データ受信部２１２は、広告提供端末１６０から広告データ及び商品情報を受信し、それぞれ広告データ記憶領域２２２及び商品情報記憶領域２２３に格納する。
【００３０】
表示データ作成部２１３は、携帯端末１４０からのアクセスに伴い、スケジュール情報及び商品情報を用いて、携帯サイトに表示する表示データを作成する。具体的には、まず、表示データ作成部２１３は、携帯端末１４０からのアクセスがあると、店舗識別情報を用いて、どの店舗においてＵＲＬが取得されたかを検出する。
【００３１】
そして、表示データ作成部２１３は、スケジュール情報を用いて、アクセス日時において表示装置１３０に表示されている広告データを特定する。続いて、表示データ作成部２１３は、特定した広告データに対応する商品情報を商品情報記憶領域２２３から取り出して表示データを作成し、携帯サイトに表示させる。
【００３２】
なお、携帯端末１４０からのアクセス時に店舗識別情報が含まれていない場合、表示データ作成部２１３は携帯サイトのトップページを表示させる。
【００３３】
このように、ＥＣサーバ装置１００は、スケジュール情報及び商品情報を記憶しておき、ユーザからのアクセス日時に基づいて、ユーザが表示装置１３０で観た広告データを推測し、推測した広告データに対応する商品情報を携帯サイトに表示させる。ユーザは、携帯サイトにアクセスした後、所望の商品情報を取得するためにページ遷移を行う必要がないか、又はページ遷移を行うとしても極めて少ない回数で済む。従って、ユーザは所望の商品情報を速やかに取得できる。
【００３４】
このように、本実施形態に係るコンテンツ配信システムにより、ユーザは、表示装置１３０に表示されたコンテンツ（広告データ）に関連する情報（商品情報）を携帯サイトから速やかに取得することができる。
【００３５】
上記第１の実施形態では、表示データ作成部２１３は、ユーザからのアクセス日時において表示装置１３０に表示されている広告データに対応する商品情報を携帯サイトに表示させていたが、当該広告データより前の時間帯に放映されていた広告データに対応する商品情報を表示するようにしてもよい。ユーザが、表示装置１３０で広告データを観てから、ＵＲＬを取得して携帯サイトにアクセスするまでのタイムラグが発生するためである。
【００３６】
また、このタイムラグにはバラツキがあることが考えられる。従って、表示データ作成部２１３は、ユーザが表示装置１３０で観たと推測される広告データと、その前後の時間帯の広告データとに対応する複数の商品情報を携帯サイトに表示させるようにしてもよい。
【００３７】
上記第１の実施形態では、ユーザはアクセスした携帯サイトから商品情報を取得するとしていたが、商品の購入や予約注文を行うようにしてもよい。この時、ＥＣサーバ装置１００は、図３に示すように、ユーザからの商品購入や予約注文を受け付け、購入（注文）個数や納品時期などを含む売上管理データを作成する販売管理部２１４と、前記売上管理データを記憶する売上管理データ記憶領域２２４とをさらに有する構成となる。
【００３８】
このような構成にすることで、ユーザは表示装置１３０で広告データを観た商品について、携帯サイト上の商品購入（注文）ページに速やかにアクセスすることができ、購入にかかる手間を軽減できる。
【００３９】
また、図４に示すように、ＥＣサーバ装置１００に、ユーザの携帯端末を識別する端末識別部２１５と、携帯サイトの会員情報を記憶する会員データ記憶領域２２５とをさらに設け、会員となっているユーザに対してアクセス毎にポイントを付与するようにしてもよい。表示データ作成部２１３は、会員情報を用いて、携帯サイトに会員毎のマイページを表示させることができる。
【００４０】
ユーザからのアクセス時のＥＣサーバ装置１００の動作を図５に示すフローチャートを用いて説明する。
【００４１】
（ステップＳ５０１）ユーザからのアクセスに伴い、店舗識別情報の有無を検出する。店舗識別情報がある場合はステップＳ５０２に進み、無い場合はステップＳ５０７に進む。
【００４２】
（ステップＳ５０２）表示データ作成部２１３が、ユーザからのアクセス日時において表示装置１３０に表示されている広告データを特定し、対応する商品情報を取得する。
【００４３】
（ステップＳ５０３）端末識別部２１４が、アクセスに用いられたユーザの携帯端末を識別する。例えば、端末識別部２１４は、携帯端末から端末ＩＤを受け取る。
【００４４】
（ステップＳ５０４）ステップＳ５０３で識別された携帯端末のユーザが会員であるか否かが判定される。例えば、ステップＳ５０３で受け取った端末ＩＤが会員データ記憶領域２２５に記憶されているか否かが判定される。
【００４５】
会員である場合はステップＳ５０５へ進み、会員でない場合はステップＳ５０６へ進む。
【００４６】
（ステップＳ５０５）アクセスしたユーザにポイントが付与される。ポイント情報は会員情報と共に会員データ記憶領域２２４に記憶される。
【００４７】
（ステップＳ５０６）ステップＳ５０２で取得された商品情報が携帯サイトに表示される。
【００４８】
（ステップＳ５０７）携帯サイトのトップページが表示される。
【００４９】
このように、ユーザは商品情報を携帯サイトから速やかに取得することができると共に、ポイント付与を受けることができる。ポイントは商品の購入に伴い付与するようにしてもよい。
【００５０】
（第２の実施形態）図６に本発明の第２の実施形態に係るデータ処理システムの概略構成を示す。データ処理システムは、ＥＣサーバ装置６００、ハンディ端末６１０、レシートプリンタ６２０、及び携帯端末６３０を備える。ＥＣサーバ装置６００は、ユーザ（顧客）が携帯端末６３０を用いてアクセス可能なサイト（携帯サイト）を実現する。
【００５１】
ハンディ端末６１０は、販売商品の価格等の情報を含む商品データをＥＣサーバ装置６００から受け取り、記憶する。ハンディ端末６１０はバーコード読み取り機能を有している。また、ハンディ端末６１０はボタンなどの入力手段を有しており、販売数量やユーザ（顧客）からの預かり金を入力することができる。
【００５２】
また、ハンディ端末６１０は、購入商品数、購入商品の合計金額、釣銭金などの商品購入情報をレシートプリンタ６２０へ送信する。また、ハンディ端末６１０は、商品購入情報及び前記携帯サイトへのアクセス期限情報を暗号化し、前記携帯サイトの位置情報（ＵＲＬ）と共に二次元コードに変換してレシートプリンタ６２０へ送信する。
【００５３】
また、ハンディ端末６１０は、購入された商品についての売上データをＥＣサーバ装置６００へ送信する。
【００５４】
レシートプリンタ６２０は、ハンディ端末６１０から受信した商品購入情報及び二次元コードをレシート６２１に印字して出力する。
【００５５】
携帯端末６３０は、二次元コード読み取り機能を有しており、レシート６２１に印字された二次元コードを読み取り、前記携帯サイトのＵＲＬを取得し、アクセスすることができる。
【００５６】
ＥＣサーバ装置６００は、商品の購入に伴うユーザへのポイント付与や、商品の注文を受け付けることができる携帯サイトを実現する。また、ＥＣサーバ装置６００は、ハンディ端末６１０から売上データを受け取り、売上の管理を行うことができる。
【００５７】
このようなＥＣサーバ装置６００の概略構成を図７に示す。ＥＣサーバ装置６００は、通信制御インタフェース７００、制御部７１０、及び記憶部７２０を有する。制御部７１０は、表示データ作成部７１１、販売管理部７１２、及び画像生成部７１３を有する。記憶部７２０は、商品データ記憶領域７２１、会員データ記憶領域７２２、及び販売管理データ記憶領域７２３を有する。
【００５８】
通信制御インタフェース７００は、ハンディ端末６１０や携帯端末６３０などの他機器との通信の制御を行う。
【００５９】
表示データ作成部７１１は、携帯サイトに表示する表示データを作成する。例えば、表示データ作成部７１１は、商品データ記憶領域７２１に記憶されている商品データを用いて、商品の注文を受け付けることができる携帯サイトを作成する。また、表示データ作成部７１１は、会員データ記憶領域７２２に記憶されている会員データを用いて、携帯サイトにアクセスしたユーザ会員用のマイページを作成する。このマイページによりユーザへのポイント付与を行うことができる。
【００６０】
販売管理部７１２は、携帯サイトを介してユーザから商品の注文を受け付けると、その情報を販売管理データ記憶領域７２３に記憶されている販売管理データに反映させる。また、販売管理部７１２は、ハンディ端末６１０から売上データを受け取り、これを販売管理データに反映させる。
【００６１】
画像生成部７１３は、ユーザが携帯サイトから購入（又は注文）した商品について店頭での引き渡しを希望する場合に、引き渡し時の取引確認に用いられる画像を作成し、ユーザの携帯端末６３０のメールアドレスに送信する。この画像は、商品写真や、予約注文情報が暗号化されたバーコードを含む。また、画像には、他の携帯端末への転送などの不正コピーを防止する処理を施すことができ、例えば日付が入れられたりする。また、画像には、注文した商品について代金の支払いが済んでいるか否かの情報が暗号化され、埋め込まれている。
【００６２】
ユーザは、携帯端末６３０に送られてきた画像を店頭で提示する。店頭では、画像に含まれるバーコードがハンディ端末６１０によって読み取られ、取引を確認した後、商品が引き渡される。なお、携帯サイトを介した取引情報は予めＥＣサーバ装置６００からハンディ端末６１０へ送信されているものとする。
【００６３】
次に、このようなデータ処理システムを用いた場合の、店頭での商品販売からレシート出力までの流れを図８に示すフローチャートを用いて説明する。
【００６４】
（ステップＳ８０１）ユーザ（顧客）が商品を購入し、ハンディ端末６１０により商品の販売処理が行われる。
【００６５】
（ステップＳ８０２）ハンディ端末６１０が販売した商品についての売上データを作成し、ハンディ端末６１０内の記憶部（図示せず）に記憶する。
【００６６】
（ステップＳ８０３）ハンディ端末６１０が、商品販売についての取引番号と、取引の日時とを暗号化する。
【００６７】
（ステップＳ８０４）ハンディ端末６１０が、売上データをキーとして用いて、携帯サイトのＵＲＬ及びアクセス期限情報を暗号化する。
【００６８】
（ステップＳ８０５）ハンディ端末６１０が、ステップＳ８０３、Ｓ８０４で暗号化された情報を示す二次元コードを生成する。
【００６９】
（ステップＳ８０６）ハンディ端末６１０が、商品販売情報（ユーザにとっては商品購入情報）と、二次元コードとをレシートプリンタ６２０へ送信する。
【００７０】
（ステップＳ８０７）レシートプリンタ６２０が、ハンディ端末６１０から受け取った商品販売情報及び二次元コードを印字し、レシートを出力する。
【００７１】
（ステップＳ８０８）ハンディ端末６１０が、売上データをＥＣサーバ装置６００へ送信する。
【００７２】
ユーザは、ステップＳ８０７で出力されたレシートに印字された二次元コードを携帯端末６３０で読み取ることで携帯サイトのＵＲＬを取得し、アクセスする。ユーザは、携帯サイトのマイページにおいて、商品の購入に伴うポイントを受け取ることができる。また、ユーザは携帯サイトから（別の）商品の予約注文を行うことができる。
【００７３】
続いて、ユーザが携帯サイトから商品の予約注文を行う場合の処理を図９に示すフローチャートを用いて説明する。
【００７４】
（ステップＳ９０１）ユーザが携帯サイトにて商品を予約注文する。
【００７５】
（ステップＳ９０２）販売管理部７１２が予約注文情報を販売管理データ記憶領域７２３に記憶されている販売管理データに反映させる。
【００７６】
（ステップＳ９０３）商品の代金が支払われている（前払い）か否かが判定される。支払い済みの場合はステップＳ９０４へ進み、支払われていない場合はステップＳ９０５へ進む。
【００７７】
（ステップＳ９０４）予約注文情報に支払い済みフラグが付加される。
【００７８】
（ステップＳ９０５）予約注文情報に未払いフラグが付加される。
【００７９】
（ステップＳ９０６）画像生成部７１３が、フラグが付加された予約注文情報を示すバーコードを作成する。
【００８０】
（ステップＳ９０７）予約注文完了メールが生成される。
【００８１】
（ステップＳ９０８）予約注文完了メールに不正コピーを防止する処理が施された商品写真等の画像が添付される。
【００８２】
（ステップＳ９０９）予約注文完了メールにステップＳ９０６で作成されたバーコードが添付される。
【００８３】
（ステップＳ９１０）予約注文完了メールがユーザの携帯端末６３０に送信される。
【００８４】
これにより、ユーザは予約注文が完了したことを確認すると共に、店頭での商品引き渡しに必要な画像（バーコード等）を取得することができる。
【００８５】
次に、予約注文した商品が店頭でユーザに引き渡される場合の処理を図１０に示すフローチャートを用いて説明する。
【００８６】
（ステップＳ１００１）ユーザ（顧客）が携帯端末６３０に送られてきた予約注文完了メールを店員に提示する。
【００８７】
（ステップＳ１００２）予約注文完了メールに添付されている画像が適正であるか否かが判定される。例えば、店員が画像を目視確認する。適正である場合はステップＳ１００３へ進み、適正でない場合は処理を終了する。
【００８８】
（ステップＳ１００３）ハンディ端末６１０を用いて、予約注文完了メールに添付されているバーコードを読み込む。
【００８９】
（ステップＳ１００４）ハンディ端末６１０が、暗号化されている予約注文情報を復号する。
【００９０】
（ステップＳ１００５）ハンディ端末６１０の画面に予約注文情報が表示される。
【００９１】
（ステップＳ１００６）注文した商品の代金が支払い済みであるか否かが判定される。支払い済みか、又は未払いであるかは、予約注文情報に付加されたフラグから検出することができ、ハンディ端末６１０の画面に表示される。
【００９２】
支払い済みの場合はステップＳ１００８へ進み、未払いの場合はステップＳ１００７へ進む。
【００９３】
（ステップＳ１００７）店員が商品代金を徴収する。
【００９４】
（ステップＳ１００８）商品がユーザに引き渡される。
【００９５】
（ステップＳ１００９）ハンディ端末６１０が、商品の引き渡しが行われ、取引が終了したことを示す取引完了情報をＥＣサーバ装置６００へ送信する。取引完了情報は一取引毎にＥＣサーバ装置６００へ送信するようにしてもよいし、複数取引毎又は所定時間毎に送信するようにしてもよい。
【００９６】
このように、本実施形態に係るデータ処理システムにより、携帯サイトを使った商品購入に対してのポイント付与を容易に行うことができる。
【００９７】
また、顧客が携帯サイトを通じて予約注文をした商品の引き渡し時に、不正コピーを防止する処理が施された画像の視認が行われるため、取引を確実に行うことができる。
【００９８】
このようなデータ処理システムでの商品の予約注文は、音楽ライブや演劇などのチケット販売にも適用できる。予約注文完了メールに添付される画像は未公開写真を用いて作成することが好適である。この場合、ステップＳ１００８における商品の引き渡しは、チケットの引き渡しでなく、会場への入場許可となる場合もある。
【００９９】
（第３の実施形態）図１１に本発明の第３の実施形態に係るコンテンツ配信システムの概略構成を示す。本実施形態に係るコンテンツ配信システムは、図１に示す上記第１の実施形態に係るコンテンツ配信システムに、登録端末１１０１、店舗別コンテンツ配信サーバ装置１１０２、及びテキスト音声変換装置１１０３をさらに備えた構成となっており、表示装置１３０に表示させる広告データを店舗側で任意に変更できるものである。上記第１の実施形態に係るコンテンツ配信システムと同様の構成要素については同じ参照番号を付して説明を省略する。
【０１００】
登録端末１１０１は、店舗毎に個別に表示させる広告データを作成し、店舗別コンテンツ配信サーバ装置１１０２に送信する。広告データは静止画又は動画の画像データ及びテキストデータの少なくともいずれか一方を有する。また、テキストを音声に変換する場合は音声変換指定が行われる。登録端末１１０１は、各店舗に設けられており、ＰＣや携帯電話機で実現し得る。
【０１０１】
なお、登録端末１１０１で作成される広告データは、商品の広告だけでなく、表示装置１３０を用いて顧客に知らせたい情報も含まれるものとする。
【０１０２】
店舗別コンテンツ配信サーバ装置１１０２は、登録端末１１０１から広告データを受け取ると、音声変換指定が行われているかを検出する。店舗別コンテンツ配信サーバ装置１１０２は、音声変換指定が行われている場合は、変換対象のテキストデータをテキスト音声変換装置１１０３へ送信する。テキストデータはテキスト音声変換装置１１０３で音声データに変換され、店舗別コンテンツ配信サーバ装置１１０２へ送信される。
【０１０３】
店舗別コンテンツ配信サーバ装置１１０２は、広告データ（音声データ及び／又はテキストデータを有する画像データ）を、対応する店舗の表示装置１３０へ送信する。
【０１０４】
表示装置１３０は、店舗別コンテンツ配信サーバ装置１１０２から受け取った広告データをスケジュール情報に基づいて表示する。なお、スケジュール情報には、店舗毎に任意に表示データを変更できる時間帯が予め設定されており、この時間帯に店舗別コンテンツ配信サーバ装置１１０２から受け取った広告データが表示される。
【０１０５】
このようなコンテンツ配信システムによって店舗別に表示コンテンツを設定する方法を図１２に示すフローチャートを用いて説明する。
【０１０６】
（ステップＳ１２０１）登録端末１１０１にて広告データが作成され、店舗別コンテンツ配信サーバ装置１１０２へメールで送信される。
【０１０７】
（ステップＳ１２０２）広告データにテキストデータが含まれるか否かが判定される。テキストデータが含まれる場合はステップＳ１２０２に進み、含まれていない場合はステップＳ１２０５に進む。
【０１０８】
（ステップＳ１２０３）テキストデータが抽出される。
【０１０９】
（ステップＳ１２０４）抽出されたテキストデータがディレクトリに保存される。
【０１１０】
（ステップＳ１２０５）広告データに画像データが含まれるか否かが判定される。画像データが含まれる場合はステップＳ１２０６に進み、含まれていない場合はステップＳ１２０８に進む。
【０１１１】
（ステップＳ１２０６）画像データが抽出される。
【０１１２】
（ステップＳ１２０７）抽出された画像データが前記ディレクトリに保存される。
【０１１３】
（ステップＳ１２０８）音声変換指定されているか否かが判定される。音声変換指定されている場合はステップＳ１２０９に進み、されていない場合はステップＳ１２１１に進む。
【０１１４】
（ステップＳ１２０９）テキストデータがテキスト音声変換装置１１０３へ送信され、音声データに変換される。
【０１１５】
（ステップＳ１２１０）店舗別コンテンツ配信サーバ装置１１０２が音声データを受け取り、前記ディレクトリに保存する。
【０１１６】
（ステップＳ１２１１）店舗別コンテンツ配信サーバ装置１１０２が広告データを対応する店舗の表示装置１３０へ送信する。
【０１１７】
（ステップＳ１２１２）表示装置１３０が、受け取った広告データをスケジュール情報に従って放映する。
【０１１８】
これにより、各店舗で放映される広告データを運営者側に設置されている管理端末１５０だけでなく、各店舗に設けられる登録端末１１０１からでも変更できるようになる。従って、各店舗のタイムセールや緊急情報をリアルタイムに表示装置１３０の表示データに反映させることができる。
【０１１９】
（第４の実施形態）図１３に本発明の第４の実施形態に係るコンテンツ配信システムの概略構成を示す。上記第１、第３に係るコンテンツ配信システムと同様の構成要素については同じ参照番号を付して説明を省略する。なお、店舗Ａに対応する構成要素には参照番号にａを付し、店舗Ｂに対応する構成要素には参照番号にｂを付す。
【０１２０】
また、上記第３の実施形態では登録端末１１０１は作成した広告データを店舗別コンテンツ配信サーバへ送信していたが、本実施形態では、ＥＣサーバ装置１３０１へ送信する。
【０１２１】
登録端末１１０１ａ（１１０１ｂ）は、表示装置１３０ａ（１３０ｂ）で放映したい店舗別（拠点別）広告データを作成すると、ＥＣサーバ装置１３０１へ送信すると共に、この店舗別広告データを他店舗の表示装置で放映できるように公開設定するか、又は自店舗でのみ放映できるように非公開設定にするか選択する。
【０１２２】
ＥＣサーバ装置１３０１は広告提供端末１６０から受け取った広告データと、登録端末１１０１ａ、１１０１ｂから受け取った店舗別広告データとを、公開／非公開設定情報と共にコンテンツ配信サーバ装置１３０２へ送信する。
【０１２３】
コンテンツ配信サーバ装置１３０２は、広告提供端末１６０により作成された広告データと、公開設定された店舗別広告データとを用いてパブリック商品カタログ１３０３を作成する。また、コンテンツ配信サーバ装置１３０２は、広告提供端末１６０により作成された広告データと、非公開設定された店舗別広告データとを用いて各店舗に対応したプライベート商品カタログ１３０４を作成する。この時、広告データが音声変換指定されている場合は、テキスト音声変換装置１１０３がテキストデータを音声データに変換する。
【０１２４】
店舗Ａ（Ｂ）の店員は、登録端末１１０１ａ（１１０１ｂ）を用いて、表示装置１３０ａ（１３０ｂ）に、パブリック商品カタログ１３０３とプライベート商品カタログ１３０４の中から放映する広告データを選択する。
【０１２５】
コンテンツ配信サーバ装置１３０２は、選択された広告データをスケジュール情報と共に表示装置１３０ａ（１３０ｂ）に送信する。また、コンテンツ配信サーバ装置１３０２は、スケジュール情報と、各店舗が選択した広告データの情報とをＥＣサーバ装置１３０１に送信する。これにより、ＥＣサーバ装置１３０１は、各店舗の表示装置で放映される広告データとその放映日時とを把握することができる。
【０１２６】
ＥＣサーバ装置１３０１は、広告データに対応する商品を購入できるサイト（携帯サイト）を実現する。ＥＣサーバ装置１３０１は、図３に示すＥＣサーバ装置１００と同様の構成となる。
【０１２７】
店舗Ａ（Ｂ）の表示装置１３０ａ（１３０ｂ）で広告データを観たユーザは、携帯端末１４０ａ（１４０ｂ）を用いて、ＩＣリーダライタ装置１３１ａ（１３１ｂ）又は二次元コード提示部１３２ａ（１３２ｂ）から前記携帯サイトの位置情報（ＵＲＬ）を取得する。このＵＲＬには、店舗を識別する店舗識別情報が付加されている。
【０１２８】
ＥＣサーバ装置１３０１は、ユーザによる携帯サイトへのアクセス日時と、スケジュール情報とからユーザが表示装置で観た広告データを推測し、この広告データに対応する商品の購入ページを作成する。これによりユーザは、ページ遷移を行わず、速やかに所望の商品を購入できる。
【０１２９】
また、ＥＣサーバ装置１３０１は、図１４に示すように、ユーザの商品購入に伴い店舗毎のロイヤリティを計算するロイヤリティ算出部１３１０を備えるようにしてもよい。例えば、店舗Ｂの登録端末１１０１ｂで作成された広告データに対応する商品が、店舗ＡのＩＣリーダライタ装置１３１ａ又は二次元コード提示部１３２ａから携帯サイトのＵＲＬを取得したユーザにより購入された場合、ロイヤリティ算出部１３１０は、売上金に応じた店舗Ａに対するロイヤリティを算出する。これにより、成果報酬型のロイヤリティモデルを構築できる。
【０１３０】
このようなコンテンツ配信システムを用いてユーザが購入した商品は、上記第２の実施形態で説明したような、画像や二次元コードが添付された予約注文完了メールを用いて引き渡されることが好適である。この場合、ＥＣサーバ装置１３０１は、図３に示すＥＣサーバ装置１００と、図７に示すＥＣサーバ装置６００とを組み合わせたような構成となる。
【０１３１】
（第５の実施形態）図１５に本発明の第５の実施形態に係るコンテンツ配信システムの概略構成を示す。コンテンツ配信システムは、ＥＣサーバ装置１５００、ゲートウェイサーバ装置１５１０、コンテンツ配信サーバ装置１５２０、表示装置１５３０、ＩＣリーダライタ装置１５３１、携帯端末１５４０、及び広告提供端末１５６０を備える。
【０１３２】
広告提供端末１５６０は、表示装置１５３０に表示させる広告データ（コンテンツ）を作成し、ＥＣサーバ装置１５００へ送信する。広告データは商品販売促進用の動画又は静止画であり、音声情報が付加され得る。また、広告提供端末１５６０は、表示装置１５３０に表示させることで広告を行う商品についての商品情報を作成し、ＥＣサーバ装置１５００へ送信する。商品情報は例えばクーポンなどである。この商品情報は、ＥＣサーバ装置１５００によって実現されるウェブサイト（携帯サイト）で表示可能な形式になっている。
【０１３３】
ＥＣサーバ装置１５００は、広告データ毎に固有のコンテンツＩＤを割り当て、広告データ及びコンテンツＩＤをコンテンツ配信サーバ装置１５２０へ送信する。また、ＥＣサーバ装置１５００は、商品情報を表示する携帯サイトのＵＲＬと、この商品情報に対応する広告データに割り当てたコンテンツＩＤとを組み合わせてゲートウェイサーバ装置１５１０へ送信する。
【０１３４】
コンテンツ配信サーバ装置１５２０は、コンテンツＩＤが付された広告データを表示装置１５３０へ送信する。表示装置１５３０が複数設けられている場合は、表示装置１５３０から取得した識別データに基づいて、表示装置１５３０で表示すべき広告データ及びコンテンツＩＤを送信する。
【０１３５】
表示装置１５３０は、コンテンツ配信サーバ装置１５２０から受信した広告データを表示する。表示装置１５３０は、所定のタイムスケジュールに基づいて広告データを表示してもよいし、タッチパネルを有し、ユーザの操作によって表示する広告データを切り替えるようにしてもよい。表示装置１５３０は、表示中の広告データに割り当てられたコンテンツＩＤをゲートウェイサーバ装置１５１０へ送信する。
【０１３６】
ＩＣリーダライタ装置１５３１は、ゲートウェイサーバ装置１５１０のＵＲＬと、自装置の装置識別ＩＤが設定されており、このＵＲＬ及び装置識別ＩＤをユーザが有する携帯端末１５４０へ送信する。ＩＣリーダライタ装置１５３１は、表示装置１５３０に対応して設けられている。ＩＣリーダライタ装置１５３１の装置識別ＩＤから、このＩＣリーダライタ装置１５３１はどの表示装置１５３０に対応して設けられたものかが分かるようになっている。
【０１３７】
携帯端末１５４０は、ＩＣリーダライタ装置１５３１から受信したＵＲＬに基づいてゲートウェイサーバ装置１５１０にアクセスし、ＩＣリーダライタ装置１５３１から受信した装置識別ＩＤを送信する。携帯端末１５４０は例えば携帯電話機である。
【０１３８】
図１６にゲートウェイサーバ装置１５１０の概略構成を示す。ゲートウェイサーバ装置１５１０は、通信制御インタフェース１６００、制御部１６１０、及び記憶部１６２０を有する。制御部１６１０は、表示中コンテンツＩＤ受信部１６１１、情報設定部１６１２、及び転送先ＵＲＬ送信部１６１３を有する。記憶部１６２０は、転送先ＵＲＬ記憶領域１６２１及び表示中コンテンツＩＤ記憶領域１６２２を有する。
【０１３９】
通信制御インタフェース１６００は、ＥＣサーバ装置１５００、表示装置１５１０、携帯端末１５４０などの他機器との通信の制御を行う。
【０１４０】
表示中コンテンツＩＤ受信部１６１１は、表示装置１５３０から表示中の広告データに割り当てられたコンテンツＩＤを受信し、表示装置１５３０を識別する情報と共に、表示中コンテンツＩＤ記憶領域１６２２に格納する。これにより、表示中コンテンツＩＤ記憶領域１６２２には、各表示装置１５３０が表示中の広告データのコンテンツＩＤが格納される。
【０１４１】
情報設定部１６１２は、ＥＣサーバ装置１５００から受け取った携帯サイトのＵＲＬとコンテンツＩＤとの組み合わせを転送先ＵＲＬ記憶領域１６２１に格納する。これにより、転送先ＵＲＬ記憶領域１６２１では、各コンテンツＩＤと、対応する携帯サイトのＵＲＬとが紐付けられている。
【０１４２】
転送先ＵＲＬ送信部１６１３は、携帯端末１５４０がゲートウェイサーバ装置１５１０へアクセスすると、携帯端末１５４０からＩＣリーダライタ装置１５３１の装置識別ＩＤを受け取り、これがどの表示装置１５３０に対応するか検出する。そして、転送先ＵＲＬ送信部１６１３は、検出した表示装置１５３０に表示中の広告データのコンテンツＩＤを表示中コンテンツＩＤ記憶領域１６２２から取り出す。そして、転送先ＵＲＬ送信部１６１３は、取り出したコンテンツＩＤに紐付けられた携帯サイトのＵＲＬを転送先ＵＲＬ記憶領域１６２１から取り出す。そして、転送先ＵＲＬ送信部１６１３は、携帯端末１５４０を、取り出したＵＲＬに転送する。
【０１４３】
これにより、携帯端末１５４０は、表示装置１５３０に表示中の広告データに関連した携帯サイトにアクセスすることができる。ユーザは、携帯サイトにアクセスした後、所望の商品情報を取得するためにページ遷移を行う必要がないか、又はページ遷移を行うとしても極めて少ない回数で済む。従って、ユーザは所望の商品情報を速やかに取得できる。
【０１４４】
上記第１、第３、第４の実施形態では、ＥＣサーバ装置が、コンテンツ（広告データ）の表示スケジュールを規定したスケジュール情報を取得し、ユーザからのアクセス日時に基づいてユーザが観た広告データを推測し、推測した広告データに対応する商品情報を携帯サイトに表示させることで、ユーザは、所望の商品情報を迅速に取得できた。
【０１４５】
これに対し、本実施形態に係るコンテンツ配信システムは、ゲートウェイサーバ装置１５１０が表示装置１５３０から表示中の広告データのコンテンツＩＤを取得し、携帯端末１５４０をこのコンテンツＩＤに対応したＵＲＬの携帯サイトへ転送する。そのため、表示装置１５３０がタッチパネル形式である場合など、ユーザの操作によってタイムスケジュールに関係なく広告データが切り替わる場合でも、各広告データに対応した携帯サイトへの誘導が可能になる。
【０１４６】
ゲートウェイサーバ装置１５１０は、携帯端末１５４０をＥＣサーバ装置１５００とは別の外部サーバ装置へ誘導してもよい。
【０１４７】
（第６の実施形態）図１７に本発明の第６の実施形態に係るコンテンツ配信システムの概略構成を示す。コンテンツ配信システムは、ＥＣサーバ装置１７００、コンテンツ配信サーバ装置１７２０、表示装置１７３０、ＩＣリーダライタ装置１７３１、携帯端末１７４０、及び広告提供端末１７６０を備える。
【０１４８】
広告提供端末１７６０は、表示装置１７３０に表示させる広告データ（コンテンツ）を作成し、ＥＣサーバ装置１７００へ送信する。広告データは商品販売促進用の動画又は静止画であり、音声情報が付加され得る。また、広告提供端末１７６０は、表示装置１７３０に表示させることで広告を行う商品についての商品情報を作成し、ＥＣサーバ装置１７００へ送信する。商品情報は例えばクーポンなどである。この商品情報は、ＥＣサーバ装置１７００によって実現されるウェブサイト（携帯サイト）で表示可能な形式になっている。
【０１４９】
ＥＣサーバ装置１７００は広告データと、当該広告データの商品情報に対応した携帯サイトのＵＲＬとをコンテンツ配信サーバ装置１７２０へ送信する。
【０１５０】
コンテンツ配信サーバ装置１７２０は、広告データ及び当該広告データに対応するＵＲＬを表示装置１７３０へ送信する。表示装置１７３０が複数設けられている場合は、表示装置１７３０から取得した識別データに基づいて、表示装置１７３０で表示すべき広告データ及び当該広告データに対応するＵＲＬを送信する。
【０１５１】
表示装置１７３０は、コンテンツ配信サーバ装置１７２０から受信した広告データを表示する。表示装置１７３０は、所定のタイムスケジュールに基づいて広告データを表示してもよいし、タッチパネルを有し、ユーザの操作によって表示する広告データを切り替えるようにしてもよい。表示装置１７３０は、表示中の広告データに対応する携帯サイトのＵＲＬを、シリアルケーブル等を介して、ＩＣリーダライタ装置１７３１へ送信する。
【０１５２】
ＩＣリーダライタ装置（送信装置）１７３１は、表示装置１７３０から受信したＵＲＬをユーザが有する携帯端末１７４０へ送信する。携帯端末１７４０は例えば携帯電話機である。
【０１５３】
携帯端末１７４０は、ＩＣリーダライタ装置１７３１から受信したＵＲＬに基づいて、表示装置１７３０に表示されている広告データに関連した携帯サイトにアクセスできる。ユーザは、携帯サイトにアクセスした後、所望の商品情報を取得するためにページ遷移を行う必要がないか、又はページ遷移を行うとしても極めて少ない回数で済む。従って、ユーザは所望の商品情報を速やかに取得できる。
【０１５４】
本実施形態に係るコンテンツ配信システムによれば、上記第５の実施形態と同様に、表示装置１７３０がタッチパネル形式である場合など、ユーザの操作によって表示される広告データがタイムスケジュールに関係なく切り替わる場合でも、各広告データに対応した携帯サイトへの誘導が可能になる。
【０１５５】
ＩＣリーダライタ装置１７３１が、自装置の識別ＩＤを携帯端末１７４０へ送信し、携帯端末１７４０がこの装置識別ＩＤをＥＣサーバ装置１７００に送信するようにしてもよい。ＥＣサーバ装置１７００は、装置識別ＩＤから、ユーザがどの表示装置１７３０に対応して設けられたＩＣリーダライタ装置１７３１からＵＲＬを取得したかが分かる。そのため、ＥＣサーバ装置１７００が、図１４に示すロイヤリティ算出部１３１０を備える場合、成果報酬型のロイヤリティモデルを構築できる。
【０１５６】
上記第６の実施形態では、表示装置１７３０からＩＣリーダライタ装置１７３１へ送信されるデータ、ＩＣリーダライタ装置１７３１から携帯端末１７４０へ送信されるデータは、携帯サイトのＵＲＬであったが、メールアドレスや、電子クーポン情報でもよい。
【０１５７】
例えば、メールアドレスは、表示装置１７３０に表示中の広告データに対応するものであり、ユーザが携帯端末１７４０からこのメールアドレスへＥメールを送信すると、この広告データに対応する携帯サイトのＵＲＬが記載されたＥメールが返信されるようにすることが好適である。
【０１５８】
また、図示しない印刷部を設け、携帯端末１７４０が、この印刷部を用いて、ＩＣリーダライタ装置１７３１から受信した電子クーポン情報を紙などの媒体に印刷できるようにしてもよい。
【０１５９】
（第７の実施形態）図１８に本発明の第７の実施形態に係るコンテンツ配信システムの概略構成を示す。コンテンツ配信システムは、登録端末１８００、第１コンテンツ配信サーバ装置１８１０、第２コンテンツ配信サーバ装置１８２０、表示装置１８３０、データ転送装置１８４０、及びＭＦＰ（Multifunction Printer：多機能プリンタ）１８５０を備える。
【０１６０】
表示装置１８３０、データ転送装置１８４０、及びＭＦＰ１８５０は、小売り店舗等に設けられる。例えば、図１９に示すように、ＭＦＰ１８５０の筐体の後部（背面）にデータ転送装置１８４０が配設され、ＭＦＰ１８５０の（筐体背面側の）上方に表示装置１８３０が配設される。また、ＭＦＰ１８５０の筐体の前部上面には、タッチパネル式の操作表示部１８５１が配設される。
【０１６１】
図１８に示す登録端末１８００は、表示装置１８３０に表示する広告データ（以下、サイネージコンテンツと称する）及び表示スケジュールを第１コンテンツ配信サーバ装置１８１０に登録する。また、登録端末１８００は、ＭＦＰ１８５０により出力（印刷）されるコンテンツ（以下、ＭＦＰコンテンツと称する）、操作表示部１８５１に表示されるユーザインタフェース情報、及びアンケート情報を第２コンテンツ配信サーバ装置１８２０に登録する。
【０１６２】
なお、サイネージコンテンツと、このサイネージコンテンツに対応するＭＦＰコンテンツには共通のコンテンツＩＤが付されている。サイネージコンテンツに対応するＭＦＰコンテンツとは、例えば、サイネージコンテンツが飲食店の広告データである場合に、この飲食店のクーポン情報や地図情報を含むＭＦＰコンテンツをいう。
【０１６３】
また、ユーザインタフェース情報は、ＭＦＰコンテンツのカテゴリ、タイトル、プレビュー画面等の情報を含み、各ＭＦＰコンテンツに対応するコンテンツＩＤを含んでもよい。カテゴリは階層化してもよい。また、アンケート情報は、ＭＦＰ１８５０の利用者の属性情報を取得するためのアンケートである。
【０１６４】
第１コンテンツ配信サーバ装置１８１０は、サイネージコンテンツ及び表示スケジュールをデータ転送装置１８４０へ送信する。第１コンテンツ配信サーバ装置１８１０が、複数店舗に設置されたデータ転送装置１８４０へサイネージコンテンツを送信する場合は、データ転送装置１８４０から取得した識別データに基づいて、データ転送装置１８４０で表示すべきサイネージコンテンツ及び表示スケジュールを送信するようにしてもよい。
【０１６５】
第２コンテンツ配信サーバ装置１８２０は、ＭＦＰコンテンツ及びユーザインタフェース情報をデータ転送装置１８４０へ送信する。また、第２コンテンツ配信サーバ装置１８２０は、アンケート情報を送信する。また、第２コンテンツ配信サーバ装置１８２０は、データ転送装置１８４０からアンケート結果を含むＭＦＰ利用ログ（後述する）を受信できる。
【０１６６】
図２０にデータ転送装置１８４０の概略構成を示す。データ転送装置１８４０は、通信制御インタフェース２０００、制御部２０１０、及び記憶部２０２０を有する。制御部２０１０は、第１通信制御部２０１１、再生制御部２０１２、第２通信制御部２０１３、表示制御部２０１４、及び印刷制御部２０１５を有する。記憶部２０２０は、第１コンテンツ記憶領域２０２１、スケジュール記憶領域２０２２、選択情報記憶領域２０２３、第２コンテンツ記憶領域２０２４、及び利用ログ記憶領域２０２５を有する。
【０１６７】
通信制御インタフェース２０００は、第１コンテンツ配信サーバ装置１８１０、第２コンテンツ配信サーバ装置１８２０、表示装置１８３０、ＭＦＰ１８５０などの他機器との通信の制御を行う。
【０１６８】
第１通信制御部２０１１は、第１コンテンツ配信サーバ装置１８１０からサイネージコンテンツ及び表示スケジュールを受信（ダウンロード）し、サイネージコンテンツを第１コンテンツ記憶領域２０２１に格納し、表示スケジュールをスケジュール記憶領域２０２２に格納する。
【０１６９】
再生制御部２０１２は、スケジュール記憶領域２０２２に格納されている表示スケジュールに基づいて、第１コンテンツ記憶領域２０２１からサイネージコンテンツを取り出し、再生して、表示装置１８３０に映像情報及び音声情報を出力する。表示装置１８３０は、再生制御部２０１２から受け取った映像情報を表示し、音声情報に基づいて音声を出力する。
【０１７０】
第２通信制御部２０１３は、第２コンテンツ配信サーバ装置１８２０からＭＦＰコンテンツ、ユーザインタフェース情報、及びアンケート情報を受信（ダウンロード）し、第２コンテンツ記憶領域２０２４に格納する。
【０１７１】
表示制御部２０１４は、第２コンテンツ記憶領域２０２４に格納されたユーザインタフェース情報をＭＦＰ１８５０へ出力する。これにより、ＭＦＰ１８５０の操作表示部１８５１には、図２１（ａ）に示すようなメインメニューが表示される。
【０１７２】
ユーザにより、このメインメニューのコンテンツボタンＢ１が押圧されると、表示制御部２０１４は、ユーザインタフェース情報に含まれるカテゴリについての情報をＭＦＰ１８５０へ出力する。これにより、ＭＦＰ１８５０の操作表示部１８５１には、図２１（ｂ）に示すようなカテゴリ選択画面が表示される。
【０１７３】
ユーザにより、このカテゴリ選択画面中のいずれかのカテゴリ選択ボタンが押圧されると、表示制御部２０１４は、ユーザインタフェース情報を参照して、当該カテゴリに含まれるコンテンツのタイトル情報をＭＦＰ１８５０へ出力する。これにより、ＭＦＰ１８５０の操作表示部１８５１には、図２１（ｃ）に示すようなコンテンツ選択画面が表示される。
【０１７４】
ユーザにより、このコンテンツ選択画面中のいずれかのコンテンツ選択ボタンが押圧されると、表示制御部２０１４は、ユーザインタフェース情報を参照して、当該コンテンツのプレビュー画面情報をＭＦＰ１８５０へ出力する。これにより、ＭＦＰ１８５０の操作表示部１８５１には、図２１（ｄ）に示すようなプレビュー画面が表示される。また、表示制御部２０１４は、ユーザにより選択されたこのコンテンツのコンテンツＩＤを選択情報記憶領域２０２３に格納する。
【０１７５】
ユーザにより、このプレビュー画面中のアンケートボタンＢ２が押圧されると、表示制御部２０１４は、アンケート情報をＭＦＰ１８５０へ出力する。これにより、ＭＦＰ１８５０の操作表示部１８５１には、図２１（ｅ）に示すようなアンケート入力画面が表示される。ユーザにより入力されたアンケート結果は、ユーザの属性情報を示すＭＦＰ利用ログとして、利用ログ記憶領域２０２５に格納される。第２通信制御部２０１３が、所定時間毎に、利用ログ記憶領域２０２５からＭＦＰ利用ログを取り出し、第２コンテンツ配信サーバ装置１８２０へ送信する。
【０１７６】
ユーザにより、このアンケート入力画面中の、印刷ガイドへの遷移ボタンＢ３が押圧されると、表示制御部２０１４は、図２１（ｆ）に示すような印刷ガイド画面を操作表示部１８５１に表示させる。
【０１７７】
ユーザは、この印刷ガイド画面を参考にして、ＭＦＰ１８５０に設けられた印刷ボタン（図示せず）を押下する。印刷ボタンが押下されると、印刷制御部２０１５は、ユーザにより選択されたＭＦＰコンテンツを第２コンテンツ記憶領域２０２４から取り出し、これを用紙に印刷して出力するようにＭＦＰ１８５０を制御する。これにより、ユーザは、所望のコンテンツのクーポンなどを取得できる。
【０１７８】
再生制御部２０１２は、一定時間毎に、選択情報記憶領域２０２３に格納されているコンテンツＩＤを確認する。選択情報記憶領域２０２３に格納されているコンテンツＩＤが変更していた場合、再生制御部２０１２は、このコンテンツＩＤに対応するサイネージコンテンツを第１コンテンツ記憶領域２０２１から取り出し、表示装置１８３０に表示する。これにより、ユーザが操作表示部１８５１から選択したコンテンツを、表示装置１８３０に表示できる。例えば、ユーザが、操作表示部１８５１から通販カタログのＭＦＰコンテンツを選択した場合、表示装置１８３０には該当商品の詳細情報を放映することが可能になる。
【０１７９】
また、以下のようにして、表示装置１８３０に表示中のサイネージコンテンツに対応するＭＦＰコンテンツを、ＭＦＰ１８５０から印刷、出力できるようにしてもよい。まず、表示制御部２０１４は、図２１（ａ）に示すようなメインメニューに、表示中コンテンツ印刷ボタンを加えた画面を、操作表示部１８５１に表示させる。そして、ユーザが、この表示中コンテンツ印刷ボタンを押圧すると、表示制御部２０１４が、図２１（ｆ）に示すような印刷ガイド画面を操作表示部１８５１に表示させる。
【０１８０】
そして、ユーザが、ＭＦＰ１８５０に設けられた印刷ボタンを押下すると、印刷制御部２０１５は、表示装置１８３０に表示中のサイネージコンテンツのコンテンツＩＤを再生制御部２０１２に問い合わせて取得する。そして、印刷制御部２０１５は、取得したコンテンツＩＤに対応するＭＦＰコンテンツを第２コンテンツ記憶領域２０２４から取り出し、これを印刷、出力するようにＭＦＰ１８５０を制御する。
【０１８１】
このような構成にすることで、ユーザは、表示装置１８３０に表示中のサイネージコンテンツに対応するＭＦＰコンテンツを速やかに取得できる。
【０１８２】
このように、本実施形態によれば、ＭＦＰのコンテンツプリントと連動したデジタルサイネージシステムを実現でき、ユーザに様々な情報を提供できる。
【０１８３】
上述した実施形態で説明したサーバ装置、又はコンテンツ配信システム、又はデータ処理システムの少なくとも一部は、ハードウェアで構成してもよいし、ソフトウェアで構成してもよい。ソフトウェアで構成する場合には、サーバ装置、又はコンテンツ配信システム、又はデータ処理システムの少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【０１８４】
また、サーバ装置、又はコンテンツ配信システム、又はデータ処理システムの少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【０１８５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１８６】
１００  ＥＣサーバ装置
１２０  コンテンツ配信サーバ装置
１３０  表示装置
１３１  ＩＣリーダライタ装置
１３２  二次元コード提示部
１４０  携帯端末
１５０  管理端末
１６０  広告提供端末
【図１】
2010277580.tif 000003
【図２】
2010277580.tif 000004
【図３】
2010277580.tif 000005
【図４】
2010277580.tif 000006
【図５】
2010277580.tif 000007
【図６】
2010277580.tif 000008
【図７】
2010277580.tif 000009
【図８】
2010277580.tif 000010
【図９】
2010277580.tif 000011
【図１０】
2010277580.tif 000012
【図１１】
2010277580.tif 000013
【図１２】
2010277580.tif 000014
【図１３】
2010277580.tif 000015
【図１４】
2010277580.tif 000016
【図１５】
2010277580.tif 000017
【図１６】
2010277580.tif 000018
【図１７】
2010277580.tif 000019
【図１８】
2010277580.tif 000020
【図１９】
2010277580.tif 000021
【図２０】
2010277580.tif 000022
【図２１】
2010277580.tif 000023